(57)【特許請求の範囲】
【請求項１】
記録材に画像が記録される記録位置よりも当該記録材の搬送方向の上流側において、当該搬送方向に平行な平行面を有し、当該平行面に接触する記録材を前記搬送方向へ案内する第１の案内手段と、
前記第１の案内手段の平行面に対向して前記搬送方向に平行な平行面を有し、当該平行面に接触する記録材を前記搬送方向へ案内する第２の案内手段と、
前記第１の案内手段と前記第２の案内手段との距離が、前記記録材の前記搬送方向に直角な方向の長さよりも大きくなるように、前記第２の案内手段を前記直角な方向に移動させる案内移動手段と、
前記搬送方向の先頭となる端部を同じにしたまま前記記録材が反転させられる前後で、当該記録材の互いに異なる記録面に画像が記録される場合に、一方の記録面に画像が記録されるときには、当該記録材を前記第１の案内手段の平行面に接触させて搬送し、他方の記録面に画像が記録されるときには、当該記録材を前記第２の案内手段の平行面に接触させて搬送する搬送制御手段と、
前記第２の案内手段により案内されて前記記録材が搬送された場合に、当該記録材の当該第２の案内手段の平行面に接する端部の前記直角な方向における位置を測定する測定手段と、
前記測定手段により測定された前記位置と、決められた基準位置との差に応じた移動量を特定する移動量特定手段と、
前記記録位置よりも前記搬送方向の上流側において、前記差が小さくなる方向に、前記移動量特定手段により特定された移動量に応じて記録材を移動させる記録材移動手段と
を備えることを特徴とする搬送制御装置。
【請求項２】
前記第１案内手段は固定され、
前記第１の案内手段により案内されて前記記録材が搬送された場合に、前記記録位置よりも前記搬送方向の上流側の所定の位置に当該記録材が到来したか否かを検知するセンサを備え、
前記移動量特定手段は、
前記センサにより前記記録材が到来したことが検知されると、前記第１の案内手段の平行面と前記基準位置との距離に応じた第２の移動量を特定し、
前記記録材移動手段は、
前記移動量特定手段により特定された第２の移動量に応じて、前記第１の案内手段の平行面に接する前記記録材の端部と前記基準位置との差が小さくなる方向に、当該記録材を移動させる
ことを特徴とする請求項１に記載の搬送制御装置。
【請求項３】
記録材に画像が記録される記録位置よりも当該記録材の搬送方向の上流側において、当該搬送方向に平行な平行面を有し、当該平行面に接触する記録材を前記搬送方向へ案内する第１の案内手段と、
前記第１の案内手段の平行面に対向して前記搬送方向に平行な平行面を有し、当該平行面に接触する記録材を前記搬送方向へ案内する第２の案内手段と、
前記第１の案内手段と前記第２の案内手段との距離が、前記記録材の前記搬送方向に直角な方向の長さよりも大きくなるように、前記第１の案内手段及び前記第２の案内手段のうちの少なくとも一方を、前記直角な方向に移動させる案内移動手段と、
前記記録材の一方の記録面に画像が記録される場合には、当該記録材を前記第１の案内手段の平行面に接触させて搬送し、一方の記録面に画像が記録されたのちに前記搬送方向の先頭となる記録材の端部を当該搬送方向の先頭としたまま当該記録材を反転する反転手段により反転させられた、前記記録材の他方の記録面に画像が記録される場合には、当該記録材を前記第２の案内手段の平行面に接触させて搬送する搬送制御手段と、
前記第１又は第２の案内手段により案内されて搬送される記録材の前記搬送方向に直角な方向の位置を測定する測定手段と、
前記測定手段により測定された前記位置と、決められた基準位置との差に応じた移動量を特定する移動量特定手段と、
前記記録位置よりも前記搬送方向の上流側において、前記差が小さくなる方向に、前記移動量特定手段により特定された移動量に応じて記録材を移動させる記録材移動手段と
を備え、
前記測定手段は、前記記録材移動手段により移動させられる前の記録材の前記位置と、前記移動量特定手段により特定された移動量に応じて前記記録材移動手段によって移動させられた当該記録材の前記位置とを測定し、
前記移動量特定手段は、前記測定手段によって測定された前記移動の前後における記録材の前記位置間の距離を求めて、当該距離との差が小さくなるように前記移動量を補正する
ことを特徴とする搬送制御装置。
【請求項４】
前記移動量特定手段は、前記一方の記録面に画像が記録されるときに前記記録材移動手段により前記記録材が移動させられた距離に基づいて、前記他方の記録面に画像が記録されるときの前記移動量を補正することを特徴とする請求項３に記載の搬送制御装置。
【請求項５】
請求項１から４のいずれか１項に記載の搬送制御装置と、
画像を保持する像保持体に画像を形成する像形成手段と、
前記像形成手段により形成されて前記像保持体に保持されている画像を、前記搬送制御装置の前記搬送手段により前記記録位置へと搬送されてくる記録材の記録面に記録する記録手段と
を備えることを特徴とする画像形成装置。
【発明の詳細な説明】
【技術分野】
【０００１】
本発明は、搬送制御装置および画像形成装置に関する。
【背景技術】
【０００２】
画像形成装置における画像の記録位置の上流側において、搬送路に沿って設けられたガイド部材に用紙等の記録材の側端を合わせて搬送するコーナーレジ方式を採用した場合、記録材に対する画像の記録位置が偏ったり、記録材を搬送する複数の搬送ロールの磨耗状態が偏ったりする。この問題を解決するために、対向して配置される２つのガイド部材の間に搬送路を形成し、その搬送路の幅方向の中央を基準として記録材を搬送するセンターレジ方式が用いられている。この種の搬送方式を採用した画像形成装置は、例えば特許文献１に開示されている。この画像形成装置は、搬送路の幅を種々の記録材のサイズに合わせるべく、ガイド部材を搬送路の幅方向に移動させる。
【特許文献１】特開２００５−３１４０４５号公報
【発明の開示】
【発明が解決しようとする課題】
【０００３】
ところが、ガイド部材の移動を繰り返していると、ガイド部材の位置を同じところに合わせたとしてもその位置は微少な誤差を含んでいるから、記録材における画像の記録位置もずれる。特に、記録材の両記録面に画像が形成される場合には、記録材の記録面に直角な方向から見たときに表裏の画像の位置がずれてしまう。
【０００４】
ところで、記録材の反転方式には、リードトゥテール方式とよばれるものと、リードトゥリードと呼ばれる方式がある。前者は、記録材をスイッチバックして反転する方式であり、記録位置に突入するときの用紙の先頭となる端部（以下、記録材の先端という）が、表面に対する画像記録時と裏面に対する画像記録時とで正反対になるという特徴がある。一方、後者は、記録位置に突入するときの用紙の先端を同じにしたまま反転するというものである。この場合、表面と裏面に対するそれぞれの画像記録時で記録材の先端は同じになるが、ガイド部材に突き当たる記録材の側端が正反対になる。記録材を生産するときには多少の裁断誤差が含まれることがあるから、表面及び裏面の画像記録時でガイド部材に突き当たるときの側端が入れ替わると、上述した表裏の画像の位置ずれが更に大きくなってしまう。
上述した課題を解決するため、本発明は、先端を同じにしたまま反転させられる記録材の両面に画像を記録する場合に、それぞれの記録面に記録される画像の位置のずれ量を小さくすることを目的とする。
【課題を解決するための手段】
【０００５】
上述した課題を解決するため、本発明は、記録材に画像が記録される記録位置よりも当該記録材の搬送方向の上流側において、当該搬送方向に平行な平行面を有し、当該平行面に接触する記録材を前記搬送方向へ案内する第１の案内手段と、前記第１の案内手段の平行面に対向して前記搬送方向に平行な平行面を有し、当該平行面に接触する記録材を前記搬送方向へ案内する第２の案内手段と、前記第１の案内手段と前記第２の案内手段との距離が、前記記録材の前記搬送方向に直角な方向の長さよりも大きくなるように、前記第２の案内手段を前記直角な方向に移動させる案内移動手段と、前記搬送方向の先頭となる端部を同じにしたまま前記記録材が反転させられる前後で、当該記録材の互いに異なる記録面に画像が記録される場合に、一方の記録面に画像が記録されるときには、当該記録材を前記第１の案内手段の平行面に接触させて搬送し、他方の記録面に画像が記録されるときには、当該記録材を前記第２の案内手段の平行面に接触させて搬送する搬送制御手段と、前記第２の案内手段により案内されて前記記録材が搬送された場合に、当該記録材の当該第２の案内手段の平行面に接する端部の前記直角な方向における位置を測定する測定手段と、前記測定手段により測定された前記位置と、決められた基準位置との差に応じた移動量を特定する移動量特定手段と、前記記録位置よりも前記搬送方向の上流側において、前記差が小さくなる方向に、前記移動量特定手段により特定された移動量に応じて記録材を移動させる記録材移動手段とを備えることを特徴とする搬送制御装置を提供する。
【０００６】
本発明の搬送制御装置において、前記第１案内手段は固定され、前記第１の案内手段により案内されて前記記録材が搬送された場合に、前記記録位置よりも前記搬送方向の上流側の所定の位置に当該記録材が到来したか否かを検知するセンサを備え、前記移動量特定手段は、前記センサにより前記記録材が到来したことが検知されると、前記第１の案内手段の平行面と前記基準位置との距離に応じた第２の移動量を特定し、前記記録材移動手段は、前記移動量特定手段により特定された第２の移動量に応じて、前記第１の案内手段の平行面に接する前記記録材の端部と前記基準位置との差が小さくなる方向に、当該記録材を移動させるようにしてもよい。
【０００７】
また、本発明は、記録材に画像が記録される記録位置よりも当該記録材の搬送方向の上流側において、当該搬送方向に平行な平行面を有し、当該平行面に接触する記録材を前記搬送方向へ案内する第１の案内手段と、前記第１の案内手段の平行面に対向して前記搬送方向に平行な平行面を有し、当該平行面に接触する記録材を前記搬送方向へ案内する第２の案内手段と、前記第１の案内手段と前記第２の案内手段との距離が、前記記録材の前記搬送方向に直角な方向の長さよりも大きくなるように、前記第１の案内手段及び前記第２の案内手段のうちの少なくとも一方を、前記直角な方向に移動させる案内移動手段と、前記記録材の一方の記録面に画像が記録される場合には、当該記録材を前記第１の案内手段の平行面に接触させて搬送し、一方の記録面に画像が記録されたのちに前記搬送方向の先頭となる記録材の端部を当該搬送方向の先頭としたまま当該記録材を反転する反転手段により反転させられた、前記記録材の他方の記録面に画像が記録される場合には、当該記録材を前記第２の案内手段の平行面に接触させて搬送する搬送制御手段と、前記第１又は第２の案内手段により案内されて搬送される記録材の前記搬送方向に直角な方向の位置を測定する測定手段と、前記測定手段により測定された前記位置と、決められた基準位置との差に応じた移動量を特定する移動量特定手段と、前記記録位置よりも前記搬送方向の上流側において、前記差が小さくなる方向に、前記移動量特定手段により特定された移動量に応じて記録材を移動させる記録材移動手段とを備え、前記測定手段は、前記記録材移動手段により移動させられる前の記録材の前記位置と、前記移動量特定手段により特定された移動量に応じて前記記録材移動手段によって移動させられた当該記録材の前記位置とを測定し、前記移動量特定手段は、前記測定手段によって測定された前記移動の前後における記録材の前記位置間の距離を求めて、当該距離との差が小さくなるように前記移動量を補正することを特徴とする搬送制御装置を提供する。
この搬送制御装置において、前記移動量特定手段は、前記一方の記録面に画像が記録されるときに前記記録材移動手段により前記記録材が移動させられた距離に基づいて、前記他方の記録面に画像が記録されるときの前記移動量を補正するようにしてもよい。
【０００８】
また、本発明は、上記いずれかの構成の搬送制御装置と、画像を保持する像保持体に画像を形成する像形成手段と、前記像形成手段により形成されて前記像保持体に保持されている画像を、前記搬送制御装置の前記搬送手段により前記記録位置へと搬送されてくる記録材の記録面に記録する記録手段とを備えることを特徴とする画像形成装置を提供する。
【発明の効果】
【０００９】
本発明によれば、先端を同じにしたまま反転させられる記録材の両面に画像を記録する場合に、それぞれの記録面に記録される画像の位置のずれ量を小さくすることができる。
【発明を実施するための最良の形態】
【００１０】
（Ａ）構成
図１は、画像形成装置１０の構造を模式的に表した図である。
画像形成装置１０は、ユーザからの指示に応じて記録材の両面に画像を形成する機能を有する。図１に示した二点鎖線はシートの搬送路をそれぞれ示している。ここでいう記録材は、繊維からなる用紙や、布或いは樹脂性のフィルム等のシート等の、画像形成装置１０によって画像が形成される媒体のことをいう。以下では、記録材として用紙を用いる場合について説明する。
【００１１】
図２は、画像形成装置１０の構成を示すブロック図である。
同図に示すように、画像形成装置１０は、制御部１１と、記憶部１２と、通信部１３と、ＵＩ（User Interface）部１４と、画像形成部１５とを備える。制御部１１は、ＣＰＵ（Central Processing Unit）、ＲＡＭ（Random Access Memory）、ＲＯＭ（Read Only Memory）等を備えた演算装置であり、ＣＰＵはＲＡＭをワークエリアとし、ＲＯＭに記憶されたプログラムを実行することによって画像形成装置１０の各部を制御する。記憶部１２は、ＨＤＤ（Hard Disk Drive）等の記憶装置であり、制御プログラムや画像情報等を記憶する。通信部１３は、ＬＡＮ（Local Area Network）等のネットワークを介して通信を行うためのインターフェース装置であり、図示せぬコンピュータ等の外部装置から画像形成処理の実行指示を受信したり、各種情報を出力したりする。ＵＩ部１４は、ユーザにより操作入力が行われるとともにユーザに対する表示を含む報知が可能なタッチパネル等のユーザインタフェースである。画像形成部１５は、画像情報に応じた画像を用紙に形成する。
【００１２】
ここで、画像形成部１５の構造について、図１を参照しつつ説明する。
画像形成部１５は、記録材供給トレイ１８０，１９０と、画像形成ユニット１５０Ｙ，１５０Ｍ，１５０Ｃ，１５０Ｋと、複数の一次転写装置１５１と、中間転写ベルト１５２と、記録材搬送部１６と、二次転写ロール１５４と、バックアップロール１５５と、搬送ベルト１５６，１５７，１５８，１５９と、定着装置１６０と、反転装置１９とを備える。
【００１３】
記録材供給トレイ１８０，１９０は、それぞれ所定の種類およびサイズの記録材としての用紙を収容し、制御部１１に指示されたタイミングで用紙を供給する。例えば、記録材供給トレイ１８０はＡ４サイズ（横２１０ｍｍ×縦２９７ｍｍ）の用紙を収容し、記録材供給トレイ１９０はＢ５サイズ（横１８２ｍｍ×縦２５７ｍｍ）の用紙を収容する。記録材供給トレイ１８０，１９０から用紙が送り出されると、その用紙は搬送ローラの回転により搬送路Ｓａに沿って搬送され、記録材搬送部１６に供給される。記録材搬送部１６は、供給されてきた用紙を、自身を通過する搬送路Ｓａに沿ってその搬送方向に搬送するための各種制御を行う。記録材搬送部１６によって搬送された用紙には、二次転写ロール１５４とバックアップロール１５５とにより形成される転写位置Ｔにおいて画像が転写される。つまり、転写位置Ｔは、用紙に画像が記録される記録位置である。
【００１４】
画像形成ユニット１５０Ｙ，１５０Ｍ，１５０Ｃ，１５０Ｋはそれぞれ、イエロー（Ｙ）、マゼンタ（Ｍ）、シアン（Ｃ）、ブラック（Ｋ）の現像剤（トナー）によって画像を形成し、これを中間転写ベルト１５２に転写する。なお、画像形成ユニット１５０Ｙ、１５０Ｍ、１５０Ｃ、１５０Ｋのそれぞれは用いるトナーが異なるのみであって、その構成に大きな差異はない。そこで、これらの記載に際してそれぞれを特に区別する必要がない場合には、トナーの色を示す符号末尾のアルファベットを省略して「画像形成ユニット１５０」という。
【００１５】
画像形成ユニット１５０は、感光体ドラム、帯電装置、露光装置、現像装置を有する。感光体ドラムは、画像を保持する像保持体であり、軸を中心にして矢印Ａの方向に所定の速度で周回するドラム状の部材であり、帯電装置によって所定の電位に帯電される。露光装置は、帯電した感光体ドラムにレーザ光を照射して静電潜像を形成する。現像装置は、感光体ドラムに形成された静電潜像にトナーを付着させてトナー像として現像する。複数の一次転写装置１５１は、画像形成ユニット１５０Ｙ，１５０Ｍ，１５０Ｃ，１５０Ｋのそれぞれと対になるように設けられ、各感光体ドラムに現像された各色のトナー像を中間転写ベルト１５２に転写する。中間転写ベルト１５２は無端のベルト部材であり、画像を保持する像保持体である。ベルト搬送ロール１５３は、中間転写ベルト１５２を張架する。ベルト搬送ロール１５３の少なくとも１つは駆動部を有しており、図示せぬ駆動装置により駆動されると、中間転写ベルト１５２を図中の矢印Ｂの方向に周回移動させる。中間転写ベルト１５２が図中の矢印Ｂの方向に周回移動することにより、画像形成ユニット１５０によって中間転写ベルト１５２に形成されたトナー像（画像）は転写位置Ｔへと移動する。
【００１６】
二次転写ロール１５４およびバックアップロール１５５は、中間転写ベルト１５２が用紙と対向する位置において所定の電位差を生じさせ、転写位置Ｔにおいて、この電位差によって用紙にトナー像を転写させる。つまり、二次転写ロール１５４およびバックアップロール１５５は、画像形成ユニット１５０により形成されて中間転写ベルト１５２に保持されている画像を、転写位置Ｔ（つまり記録位置）へと搬送されてくる用紙の記録面に記録する記録手段の一例である。搬送ベルト１５６〜１５８は、転写位置Ｔを通過した用紙を定着装置１６０に搬送する。定着装置１６０は、加熱ロールと加圧ロールとを備えており、これらのロール部材により用紙を加熱および加圧することで用紙に転写されたトナー像を定着させる。定着装置１６０により一方の面にトナー像が定着された用紙のうち、更にその他方の面（裏面）に画像が転写される用紙は、搬送路Ｓ１に沿って、反転装置１９に搬送される。反転装置１９は、用紙の一方の記録面（表面）に画像が転写されたのちに、搬送方向の先頭となる用紙の先端を搬送方向の先頭としたまま用紙を反転する反転手段の一例である。反転装置１９の構成及び動作について詳しくは後述する。反転装置１９によって面が反転させられた用紙は、複数の搬送ローラ１６１により、搬送路Ｓ２に沿って、転写位置Ｔ及び記録材搬送部１６よりも用紙の搬送方向の上流側に搬送される。そして、上記と同様にして、転写位置Ｔにおいてその用紙の他方の面に画像が転写されて、その用紙上の画像は定着装置１６０によって定着される。用紙の両面に画像が転写された用紙や、一方の面のみに画像が転写される用紙は、搬送路Ｓｂに沿って搬送され、搬送ベルト１５９により機外へ排出される。
【００１７】
次に、記録材搬送部１６の構成について説明する。
図３は、図１に示す記録材搬送部１６を矢印Ｉ方向（上方）から見たときの構造を模式的に表した図である。同図（ａ）に示すように、記録材搬送部１６は、送出部１７とセンサ部１８とを備える。送出部１７は、用紙を基準となる位置に整合させながら送り出す機構を備える。センサ部１８は、送出部１７によって送り出された用紙の位置の検出や、用紙の到来の有無を検出する機能を有する。
【００１８】
送出部１７は、搬送ローラ１７１と、固定式サイドガイド１７２と、可動式サイドガイド１７３と、クロストロール群１７４と、レジロール１７５とを備え、これらは、制御部１１の制御の下で動作する。
搬送ローラ１７１は、記録材供給トレイ１８０，１９０から供給されてきた用紙を、同図（ａ）の紙面下方から上方へ向かう搬送方向に沿って搬送する。固定式サイドガイド１７２は、画像形成装置１０の筐体に支持されており、その位置が固定されている。固定式サイドガイド１７２は、用紙に画像が転写される転写位置Ｔよりも用紙の搬送方向の上流側において、その搬送方向に平行な平行面を有し、この平行面に接触する記録材を搬送方向へ案内する第１の案内手段の一例である。可動式サイドガイド１７３は、画像形成装置１０の筐体に支持されており、図示せぬ駆動装置により、用紙の搬送方向に対して直角な方向（同図（ａ）の矢印Ｓ）方向に移動可能に設けられている。なお、以下では、同図に示すように、用紙の搬送方向に対して直角な方向を「ｘ方向」という。この可動式サイドガイド１７３は、固定式サイドガイド１７２の平行面と対向する位置において搬送方向に平行な平行面を有し、この平行面に接触する用紙を搬送方向に案内する第２の案内手段の一例である。これら固定式サイドガイド１７２と可動式サイドガイド１７３との間に、用紙の搬送路Ｓａが形成される。制御部１１は、固定式サイドガイド１７２と可動式サイドガイド１７３との間の距離が、用紙の搬送方向に直角な方向（ｘ方向）の長さよりも大きくなるように、可動式サイドガイド１７３を移動させる。
なお、本願明細書中における「平行」には、数学的な意味における厳密な「平行」を含むほか、機械精度の誤差の範囲内で略平行とみなせる場合も含まれる。「直角」についても同様とする。
【００１９】
クロストロール群１７４は、固定式サイドガイド１７２に近い位置に設けられたクロストロール群１７４ａと、可動式サイドガイド１７３に近い位置に設けられたクロストロール群１７４ｂからなる。クロストロール群１７４ａは、用紙よりも紙面手前方向にあるクロストール群と、用紙よりも紙面奥方向にある図示せぬクロストロール群とからなる、一対のロール群である。これらのクロストロールの回転軸は、用紙の搬送方向に直角な方向と所定の角度をなしており、用紙を固定式サイドガイド１７２に近づく方向に搬送する。また、クロストロール群１７４ｂも、用紙よりも紙面手前方向にあるクロストール群と、用紙よりも紙面奥方向にある図示せぬクロストロール群からなる、一対のロール群である。これらのクロストロールの回転軸は、用紙の搬送方向に直角な方向と所定の角度をなしており、用紙を可動式サイドガイド１７３に近づく方向に搬送する。即ち、クロストロール群１７４は、固定式サイドガイド１７２又は可動式サイドガイド１７３によって用紙が案内されるよう、用紙をいずれかサイドガイド側に移動させながら、搬送方向へ搬送する。このようなクロストロール群１７４のそれぞれのクロストロールは、図示せぬ駆動装置によって回転駆動させられる駆動クロストロールと、駆動クロストールの回転駆動に従って回転する従動クロストロールからなる。図３（ａ）に示す記録材搬送部１６においては、用紙よりも紙面手前方向にある駆動クロストールと、用紙よりも紙面奥方向にある図示せぬ従動クロストロールとにより接触領域において用紙を挟み、両者の回転駆動によって用紙Ｐはそれらの回転方向に応じた方向に移動させられる。
【００２０】
また、クロストロール群１７４において、駆動クロストロールと従動クロストールとが用紙を挟むときの圧力は、制御部１１の制御の下で変更させられる。つまり、制御部１１は、用紙の側端を固定式サイドガイド１７２に接触したまま搬送させるときには、クロストロール群１７４ａの挟み込みの圧力を大きくして回転させることにより、用紙を固定式サイドガイド１７２側に搬送させる。このとき、制御部１１は、クロストロール群１７４ｂの挟み込みの圧力をゼロにしておき、用紙の搬送に影響を与えないようにする。一方、制御部１１は、用紙の側端を可動式サイドガイド１７３に接触したまま搬送させるときには、クロストロール群１７４ｂの挟み込みの圧力を大きくして回転させることにより、用紙Ｐを可動式サイドガイド１７３側に搬送させる。このとき、制御部１１は、クロストロール群１７４ａの挟み込みの圧力をゼロにしておき、用紙の搬送に影響を与えないようにする。
レジロール１７５は、用紙を搬送方向に沿って転写位置Ｔへ搬送する。レジロール１７５は、図示せぬ駆動装置により回転させられる駆動ロール及び駆動ロールの回転に従って回転する従動ロールからなる、一対のロール部材である。レジロール１７５は、用紙を挟んだまま図中紙面右方向又は左方向に移動することで、用紙をそれらの方向へ移動させる記録材移動手段の一例である。
【００２１】
センサ部１８は、レジアウトセンサ１８１と、ＣＩＳ（Contact Image Sensor）１８２と、透過型センサ１８３とを備える。レジアウトセンサ１８１は、例えば光学センサであり、転写位置Ｔよりも搬送方向の上流側に設けられており、用紙が搬送されてきたことを検知した場合には、その旨を意味する検知信号を制御部１１に供給する。ＣＩＳ１８２は、レジアウトセンサ１８１よりも用紙Ｐの搬送方向の上流側に設けられている。ＣＩＳ１８２のｘ方向に対して、可動式サイドガイド１７３付近の位置にあり、可動式サイドガイド１７３により案内される用紙端の位置を測定できるように設けられている。ＣＩＳ１８２は、可動式サイドガイド１７３により案内されて搬送される用紙の搬送方向に直角な方向の位置を測定する測定手段の一例であり、測定した位置を表す位置情報を制御部１１へ供給する。透過型センサ１８３は、例えばフォトインタラプタであり、レジアウトセンサ１８１よりも用紙の搬送方向の上流側に設けられている。この透過型センサ１８３のｘ方向に対して、固定式サイドガイド１７２付近の位置に設けられ、固定式サイドガイド１７２によって案内される用紙が、所定の位置に到来したか否かを検知できるようにしている。この透過型センサ１８３は、用紙端を検知すると、その旨を意味する検知信号を制御部１１に供給する。
【００２２】
ここで、図３（ｂ）は、ＣＩＳ１８２の構成を模式的に表した図である。同図（ｂ）に示すように、ＣＩＳ１８２は、例えば１２１６個の受光素子Ｒ１〜Ｒ１２１６が用紙の搬送方向と直角な方向（ｘ方向）に配列されて構成されている。そして、これらの受光素子が並ぶ方向に沿って配列された複数のＬＥＤ等の光源からの照射光が、被検出物である用紙Ｐから反射されると、その反射光を受光素子で受光するように構成されている。つまり、ＣＩＳ１８２は、反射光を受光した受光素子に応じて、搬送される用紙の搬送方向に直角なｘ方向の位置を測定する。
このような構成の記録材搬送部１６、及びその動作を制御する制御部１１は搬送制御装置として機能する。
【００２３】
続いて、反転装置１９の構成について説明する。なお、以下では、Ａ４サイズの用紙Ｐが、画像形成装置１０内を搬送される場合について説明する。
図４は、図１に示した矢印II方向から反転装置１９を見たときの構造を模式的に表した図である。同図に示すように、反転装置１９は、紙面右側から左側へと向かう搬送方向に沿って並べられ、用紙を搬送するための搬送ローラ１９１を複数有する。これら搬送ローラ１９１の回転軸は、搬送方向に直角である。また、反転装置１９は、搬送方向に対して直角な方向（紙面上側から下側へと向かう方向）に沿って並べられ、用紙を搬送するための反転ローラ１９２を複数有する。これら反転ローラ１９２の回転軸は、搬送方向に平行である。この複数の反転ローラ１９２によって用紙Ｐが搬送させられる方向を、以下では「反転方向」という。
【００２４】
図５は、図１に示した矢印III方向（側面方向）から反転装置１９を見たときの構造を模式的に表した図である。同図においては、紙面奥方向から手前方向に向かう方向が搬送方向であり、反転方向は、同図に示すように、反転装置１９における上方の搬送路Ｓ１から下方の搬送路Ｓ２に向かう方向である。また、同図に示すように、反転装置１９には、搬送路Ｓ２にある用紙Ｐ端の有無を検出するための光学センサ１９３が設けられている。光学センサ１９３は、自身の下方（所定位置Ｇ３とする）にある用紙端が到来したことを検知すると、その旨を意味する検知信号を制御部１１に供給する。制御部１１は、光学センサ１９３からこの検知信号を取得すると、反転ローラ１９２の回転駆動を停止させる。つまり、制御部１１は、光学センサ１９３の検出結果に基づいて、用紙Ｐの搬送路の幅方向に対する位置を決めるための制御を行う。
【００２５】
続いて、反転装置１９において、用紙Ｐの面が反転させられるときの動作について説明する。
制御部１１は、反転装置１９の反転ローラ１９２を停止させたまま、複数の搬送ローラ１９１の回転により、図４に示す位置Ｇ１にある用紙Ｐを搬送方向に搬送する。用紙Ｐが点線で示す位置Ｇ２に搬送させられると、制御部１１は、搬送ローラ１９１の回転を停止させる。続いて、制御部１１は、反転方向に用紙Ｐを搬送させるよう反転ローラ１９２を回転駆動させる。これにより、図５に示す白抜き矢印で示した反転方向に用紙Ｐは移動させられる。そして、用紙Ｐが所定位置Ｇ３に到達して、制御部１１が光学センサ１９３から検知信号を取得すると、制御部１１は反転ローラ１９２の回転を停止させて、反転方向への用紙Ｐの移動をそこで停止させる。面の反転が完了した用紙の側端の位置は、用紙サイズによらず、所定位置Ｇ３に決められる。この位置決めは、詳しくは後述するが、用紙Ｐの裏面を記録面として画像を転写するときに、記録材搬送部１６がコーナーレジ方式に従って用紙Ｐを搬送するために行われる。
【００２６】
続いて、図５に示す紙面奥方向から手前方向へと向かう搬送方向に沿って用紙Ｐを移動するよう、制御部１１は、搬送ローラ１９１及び搬送ローラ１６１を回転させる。これにより、図１に示す搬送路Ｓ２に沿って用紙Ｐは搬送させられる。そして、この用紙Ｐは、その表面への画像形成時とは先端が同じで表裏が反転した状態で、記録材搬送部１６に移動させられる。このように、反転装置１９は、転写位置Ｔよりも用紙Ｐの搬送方向の下流側に設けられ、転写位置Ｔにおいて一方の面に画像が転写された記録材のうち、他方の面に画像が転写される記録材の面を反転させる。また、反転装置１９は、いわゆる用紙をスイッチバックさせるリードトゥテール方式ではなく、リードトゥリード方式を採用している。
【００２７】
続いて、画像形成装置１０が用紙Ｐに画像を形成するときの動作について説明する。
図６は、制御部１１が実行する動作の手順を示したフローチャートである。図７は、用紙Ｐの表面に画像が転写される場合の記録材搬送部１６の動作の様子を模式的に表した図であり、図８は、用紙Ｐの裏面に画像が転写される場合の記録材搬送部１６の動作の様子を模式的に表した図である。
まず、制御部１１は、通信部１３によって画像形成処理の実行指示を受信すると（ステップＳ１；ＹＥＳ）、この実行指示に応じて、画像形成処理に使用する用紙サイズを判断し、可動式サイドガイド１７３の位置を変更する（ステップＳ２）。このとき、用紙サイズを「Ａ４」とすることが実行指示によって指定されているとすると、制御部１１は、固定式サイドガイド１７２と可動式サイドガイド１７３との間との距離（つまり、搬送路Ｓａの幅）が、Ａ４サイズの用紙Ｐ幅（２１０ｍｍ）よりも大きくなるよう、可動式サイドガイド１７３の位置を変更する。ここでは、制御部１１は、用紙Ｐよりも５ｍｍ程度長い「２１５ｍｍ」の幅の搬送路Ｓａとなるよう、可動式サイドガイド１７３の位置を変更する。用紙Ｐの幅よりも搬送路Ｓａの幅を大きくするのは、用紙Ｐが斜行（スキュー）等により、サイドガイドの断面にぶつかってしまうことを防ぐためである。そして、制御部１１は、記録材供給トレイ１８０から用紙Ｐを供給させて、搬送路Ｓａに沿ってこの用紙Ｐを記録材搬送部１６に搬送する（ステップＳ３）。このとき、用紙Ｐの表面が記録面であり、上方を向いている。
【００２８】
続いて、制御部１１は、記録材搬送部１６の搬送ローラ１７１によって用紙Ｐを搬送する。用紙Ｐの表面に画像を転写するとき、制御部１１は、如何なるサイズの用紙であってもその用紙中央のｘ方向の位置を一定位置におおよそ合わせた状態で、記録材搬送部１６に用紙Ｐを搬送する。この搬送方式は、用紙の中央を基準にしているので、センターレジ方式と呼ばれている。このときの、用紙Ｐの位置は、例えば図７に示す位置Ｇ４である。このとき、用紙Ｐはいずれのサイドガイドにも接していないから、搬送方向と用紙Ｐの側端とが平行でない、いわゆるスキューと呼ばれる斜行状態で進入してくることがある。搬送ローラ１７１によって搬送される用紙Ｐは、やがてクロストロール群１７４の接触領域に到達する。そして、制御部１１は、用紙Ｐの側端を可動式サイドガイド１７３の平行面に接触した状態で搬送するよう、クロストロール群１７４ｂの挟み込みの圧力を大きくして回転駆動させる（ステップＳ４）。このとき、制御部１１は、クロストロール群１７４ａによる挟み込み圧力をゼロとしておく。これにより、用紙Ｐの側端は、可動式サイドガイド１７３によって搬送方向に案内されて、図７に点線で示す位置Ｇ５に移動させられる。このように、用紙Ｐの側端全域がサイドガイドに接触させられたことにより、スキューは解消される。この後も、制御部１１が、用紙Ｐを搬送方向に搬送させるようクロストロール群１７４ａを回転駆動させると、やがて用紙Ｐはレジロール１７５の接触領域を通過し、図７に示す位置Ｇ６に到達する。このとき、ＣＩＳ１８２から制御部１１に対して、用紙Ｐ端の位置を表す位置情報が供給されるので、制御部１１はその位置情報を取得する（ステップＳ５）。そして、制御部１１は、取得した位置情報に基づいて、用紙Ｐのｘ方向の位置が予め決められた基準位置に対してどの程度ずれているかを判断する。この「基準位置」は、用紙Ｐをセンターレジ方式で転写位置に突入させたときに、感光体ドラムに形成される画像のｘ方向の中心と、用紙の中央とが一致するような、用紙Ｐの位置のことである。従って、この基準位置に対するずれは、ｘ方向に対する画像形成位置ずれの大きさに相当するものである。そして、制御部１１は、ＣＩＳ１８２によって測定された位置と、基準位置との差を求めて、その差に応じた移動量を特定する（ステップＳ６）。ここでは、制御部１１は、差の大きさと同じ移動量を特定する。
【００２９】
この後も、制御部１１は、クロストロール群１７４ｂの回転により用紙Ｐを搬送方向へ搬送させる。そして、レジアウトセンサ１８１によって用紙Ｐの先端が検知され、制御部１１は検知信号を取得すると、基準位置との差を小さくするよう、ステップＳ６で特定した移動量に応じた距離だけ、レジロール１７５を移動させる（ステップＳ７）。例えば、図７に示すｘ方向に、基準位置から「２．５ｍｍ」ずれていると判断した場合には、制御部１１は、レジロール１７５によって所定の圧力で用紙Ｐを挟んだまま、これをｘ方向とは逆方向（図中白抜矢印Ａ１方向）に「２．５ｍｍ」だけ移動させる。この移動により、用紙Ｐも、ｘ方向と逆方向に「２．５ｍｍ」だけ移動させられる。これにより、用紙Ｐはｘ方向に対する基準位置である位置Ｇ７に移動させられる。
なお、用紙が保持された状態で、レジロール１７５が用紙Ｐを移動させる移動量が大きいと、用紙にねじれや撓みなどの変形が生じ、用紙のダメージやスキューおよび転写不良の原因となるという問題が生じることがある。よって、このレジロール１７５の移動量はできる限り小さいことが望ましい。可動式サイドガイド１７３が用紙サイズに合わせて移動させられるのは、この理由に基づくものである。
【００３０】
そして、制御部１１は、これを転写位置Ｔに搬送させて、その表面に画像を転写させる（ステップＳ８）。このとき、レジアウトセンサ１８１によって用紙Ｐの先端が検知されてから、所定タイミング後に用紙Ｐに画像が転写されるよう、制御部１１は画像形成部１５の各部を制御するから、用紙Ｐにおいては、搬送方向に決められた長さの余白を空けて画像が転写されることになる。
【００３１】
続いて、制御部１１は、画像形成指示に応じて用紙Ｐの裏面に画像を形成するか否かを判断する（ステップＳ９）。画像形成指示によって用紙Ｐの両面に画像を形成することが指定されている場合には、制御部１１は、用紙Ｐの裏面に画像を形成させると判断する（ステップＳ９；ＹＥＳ）。そして、制御部１１は、搬送路Ｓ１に沿って反転装置１９に用紙Ｐを搬送し、リードトゥリード方式に従って用紙面を反転させる（ステップＳ１０）。用紙Ｐの表裏を反転させると、制御部１１は、複数の搬送ローラ１６１の回転により搬送路Ｓ２に沿って用紙Ｐを搬送させ、ふたたびこの用紙Ｐを記録材搬送部１６に搬送する（ステップＳ１１）。このとき、用紙Ｐにおいては、まだ画像が転写されていない裏面が上方を向いている。
【００３２】
続いて、用紙Ｐは、図８に示すように搬送ローラ１７１によって搬送される。用紙Ｐの裏面を記録面として画像が転写されるとき、制御部１１は、如何なるサイズの用紙であっても、その用紙Ｐの一方の側端のｘ方向の位置を一定位置におおよそ合わせた状態で、記録材搬送部１６に用紙Ｐを搬送する。この搬送方式は、用紙の側端を基準にしているので、コーナーレジ方式と呼ばれている。
記録材搬送部１６に搬送されてきた用紙Ｐの位置は、例えば同図の位置Ｇ８であり、用紙Ｐの左側の側端から幅方向（ｘ方向）にやや離れた位置となっている。このようにするのは、用紙Ｐの端部が固定式サイドガイド１７２に衝突することを回避するためである。この位置は、上述した反転装置１９によって、光学センサ１９３の検知結果に基づいて決められるものである。そして、制御部１１は、この用紙Ｐの側端を固定式サイドガイド１７２の平行面に接触させた状態で搬送するよう、クロストロール群１７４ａの挟み込みの圧力を大きくして回転駆動させ、用紙Ｐを搬送する（ステップＳ１２）。このとき、制御部１１は、クロストロール群１７４ｂによる挟み込み圧力をゼロとしておく。これにより、図８に点線で示す位置Ｇ９のように、用紙Ｐの側端が全体に亘って固定式サイドガイド１７２に接触させられるので、用紙Ｐのスキューは解消される。続いて、制御部１１は、用紙Ｐの搬送路の幅方向（ｘ方向）に対する位置を決めるためのコーナーレジ方式に従って、用紙Ｐを搬送方向に搬送させるようクロストロール群１７４ａを回転駆動させると、やがて用紙Ｐは位置Ｇ１０に到達し、透過型センサ１８３により用紙Ｐの到達が検知される。制御部１１は、透過型センサ１８３からその検出信号を取得すると、ｘ方向に対する基準位置に用紙Ｐを移動させるための移動量を特定する。このとき、用紙Ｐの側端は、位置が固定されている固定式サイドガイド１７２の平行面に接触しているため、制御部１１は、この平行面から基準位置までの所定距離の移動量を特定する。
【００３３】
この後も、制御部１１は、クロストロール群１７４ａの回転により用紙Ｐを搬送方向へ搬送させる。そして、用紙Ｐの先端がレジアウトセンサ１８１により検出されると（ステップＳ１３；ＹＥＳ）、制御部１１は用紙Ｐをｘ方向に対する基準位置に移動させるよう、特定した移動量に応じた距離だけ、レジロール１７５を移動させる（ステップＳ１４）。ここでは、制御部１１は、レジロール１７５によって所定の圧力で用紙Ｐを挟んだまま、レジロール１７５をｘ方向（図中白抜矢印Ａ２方向）に移動させる。このとき、制御部１１は、特定した移動量に応じた距離分だけレジロール１７５を移動させる。この移動により、用紙Ｐもｘ方向に同じ距離だけ平行移動させられ、位置Ｇ１１に移動させられる。
【００３４】
そして、制御部１１は、用紙Ｐが位置Ｇ１１に到達して、所定タイミングから転写位置Ｔにおいて用紙Ｐの裏面に画像を転写させる（ステップＳ１５）。このとき、レジアウトセンサ１８１によって用紙の先端が検知されてから、所定タイミング後に用紙Ｐに画像が転写されるようにしているし、表面及び裏面とで用紙Ｐの先端部分は共通しているので、その表裏で搬送方向に対する画像の形成位置は一致する。また、用紙Ｐの表面に画像が転写されるときには、制御部１１は可動式サイドガイド１７３に接触するように用紙Ｐの位置を決め、用紙Ｐの裏面に画像が転写されるときには、固定式サイドガイド１７２に接触するように用紙Ｐの位置を決めている。このように、用紙Ｐの表裏で同じ側端を、サイドガイドを用いて位置を決めているから、表裏の画像の位置関係のずれも起こらないようにすることができる。
なお、ステップＳ９において、制御部１１が用紙の裏面に画像を形成しないと判断した場合には（ステップＳ９；ＮＯ）、その用紙Ｐに対する画像の形成を終了し、画像形成処理の実行指示に応じて、次の用紙に画像を形成するか、画像形成処理を終了する。
【００３５】
ここで、図９は、用紙Ｐの表裏面に形成される画像の描画領域の位置を説明する図である。
同図（ａ）の下段に示すように、用紙の理想的な形状・サイズが点線で示したものであるのに対し、用紙Ｐの作製時に図中右上部分が余計に裁断されてしまい、側端Ｅ１が理想的な側端に対して傾斜しているとする。この場合において、表面に対する画像形成時には、同図（ａ）上段に示すように、側端Ｅ１が可動式サイドガイド１７３に接触させられるから描画領域は右上に傾いてしまう。一方、裏面への画像形成時には、同図（ｂ）に示すように、この側端Ｅ１が固定式サイドガイド１７２に接触して描画領域の位置が決められるから、この場合、描画領域は右下方向に傾いたようになり、本来よりも傾斜して描かれる。このように、同じ側端をサイドガイドに接触するように用紙を搬送してから画像を転写することで、裁断誤差により画像領域が傾いてしまっていても、表裏の画像の位置関係は整合する。このように用紙の表裏に画像を転写するのは、例えば名刺等の画像を複数毎形成（いわゆるＮアップ画像）し、これを切り抜いて使用するような場合であるが、このとき仮に描画領域が傾いていても、表裏の画像の位置関係はずれない。このように表裏で同一の側端を用いて用紙の姿勢を決めるので、表裏の画像の位置関係が一致するという効果は、用紙の変形の原因が収縮などであっても同様に得ることができる。
【００３６】
以上述べた実施形態によれば、制御部１１は、転写位置Ｔにおいて用紙Ｐの一方の面に画像が転写されるときには、用紙Ｐの搬送方向を可動式サイドガイド１７３により案内させるよう用紙Ｐを搬送させる。そして、反転装置１９によって用紙Ｐにおける搬送方向に対する先端が一致するように面が反転させられた用紙Ｐが、記録材搬送部１６に搬送させられる。記録材搬送部１６は、転写位置Ｔにおいて他方の面に画像が転写されるときには、用紙Ｐの搬送方向を固定式サイドガイド１７２に案内させる。このように、表裏で同じ用紙端が先頭となるようにしているため、表裏の画像の位置関係はずれないし、用紙の形状が理想的な場合と異なっていても、これと同様の効果を得ることができる。
【００３７】
（Ｃ）変形例
上記実施形態を次のように変形してもよい。これらの変形は、各々を適宜に組み合わせることも可能である。
（Ｃ−１）変形例１
上述した実施形態では、制御部１１は、ＣＩＳ１８２によって測定した用紙Ｐ端の位置に応じて、レジロール１７５の移動量を特定していた。しかしながら、経時変化や環境変化などにより、制御部１１が特定した移動量と、実際にレジロール１７５により移動させられる用紙Ｐの移動距離とが一致しない場合がある。例えば、レジロール１７５の挟み込みの圧力が低減したり、用紙との間の摩擦力が小さくなり滑りやすくなった場合に起こる。
そこで、制御部１１は、レジロール１７５の移動前後で用紙Ｐ端の位置を測定し、特定した移動量と、実際の移動距離とが一致しない場合には、特定した移動量を補正する。例えば、制御部１１は「２．５ｍｍ」という移動量を特定したのに対し、ＣＩＳ１８２の測定結果から実際の移動距離が「２．０ｍｍ」と判断したら、次回の画像形成時からは、ＣＩＳ１８２の測定結果に応じて特定した移動量を（２．５／２．０＝）１．２５倍とする、という具合である。つまり、制御部１１は、ＣＩＳ１８２によって測定された用紙Ｐの移動の前後における記録材の位置間の距離を求めて、その距離との差が小さくなるように移動量を補正する。これにより、画像形成装置１０の個体差やギアのバックラッシュ等による用紙位置のずれを解消することができる。
【００３８】
また、制御部１１は、用紙Ｐの表裏面の画像の位置がずれないように、表面への画像形成時に、移動距離の誤差を検出したら、裏面の画像形成時において、レジロール１７５の移動量を補正することが好ましい。つまり、制御部１１は、一方の面に画像が転写されるときにレジロール１７５により用紙Ｐが移動させられた距離に基づいて、他方の面に画像が転写されるときの前記移動量を補正する。具体的には、制御部１１は、用紙Ｐの表面への画像形成時に、「２．５ｍｍ」という移動量を特定したのに対し、実際の移動距離が「２．０ｍｍ」と判断したら、裏面の画像形成時には、特定した移動量に（２．５／２．０）を乗じて移動量を補正する。つまり、制御部１１は、用紙Ｐの表面に画像が転写されるときにレジロール１７５によって用紙Ｐが移動させられた距離に基づいて、他方の面（裏面）に画像が転写されるときの移動量を補正する。このようにすれば、より確実に用紙の表裏に転写される画像の位置関係を整合させることができる。
【００３９】
（Ｃ−２）変形例２
上述した実施形態では、制御部１１は、レジロール１７５の移動により用紙Ｐをｘ方向に移動させて、画像の形成位置が基準位置のときと一致するようにしていた。これに対し、制御部１１は、像保持体である感光体ドラムに形成するトナー像の位置を変更することにより、用紙における画像の形成位置を、基準位置のときと一致させようにしてもよい。つまり、制御部１１は、ＣＩＳ１８２から位置情報を取得すると、その位置情報に応じて感光体ドラムに形成する画像の移動量（例えば、画素数）を求める。そして、制御部１１は、その画素数分だけ画像を形成する位置を変更して（移動して）トナー像を感光体ドラム（及び中間転写ベルト１５２）に形成させる。
この構成は、上述した変形例１の構成でも同様に用いることができる。制御部１１は、レジロール１７５の移動前後でＣＩＳ１８２により用紙Ｐ端の位置を測定し、制御部１１は、移動量と、実際の移動距離とが一致しない場合には、感光体ドラムに形成させる画像の位置を変更する。つまり、制御部１１は、ＣＩＳ１８２によって測定された用紙Ｐの移動の前後における位置間の距離を求めて、その距離と特定した移動量との差が小さくなるように、画像形成ユニット１５０の感光体ドラムに形成する画像の位置を変更する。
【００４０】
（Ｃ−３）変形例３
上述した実施形態では、可動式サイドガイド１７３側に用紙端の位置を測定するためのＣＩＳ１８２を設け、固定式サイドガイド１７２側に用紙端の有無を検出するための透過型センサ１８３を設けていた。これに対し、固定式サイドガイド１７２に代えて、搬送方向と直角なｘ方向に移動可能な可動式サイドガイドを設けて、さらに透過型センサ１８３に代えて、ＣＩＳ１８２と同等の構成のＣＩＳを設けてもよい。この場合においては、制御部１１は、裏面への画像形成時においても、ＣＩＳにより用紙Ｐ端のｘ方向に対する位置を求めて、その位置と基準位置との距離に基づいて移動量を特定する。
また、透過型センサ１８３に代えて、反射型センサやイメージセンサを用いてもよい。また、アクチュエータ型センサを用いてもよく、この場合、センサは、用紙端との接触することで用紙の移動に合わせて動くアクチュエータを検出する。また、光学センサ１９３においても、これらのセンサを用いることができる。
【００４１】
また、反転装置１９とは異なる反転装置を用いてもよく、要するに、一方の面に画像が転写されるときの用紙の搬送方向の先端と、他方の面に画像が転写されるときの用紙の搬送方向の先端とが一致するように用紙を反転させる反転手段であればよい。この種の反転装置として、例えば、用紙の搬送方向に平行とした軸を中心に、用紙を捩じりながら反転する反転方式（メビウス方式）を採用した反転装置がある。この場合、反転装置の搬送路内に、記録材搬送部１６と同等の構成のサイドガイド及びクロストロールを設けて、用紙の側端の位置をサイドガイドの位置に合わせることが必要である。また、透過型センサ１８３等を用いて、反転装置内で用紙端の位置を所定位置に決めるのではなく、制御部１１は、記録材搬送部１６内でこれと同等の制御を行って、実施形態で述べたようにして搬送制御を行ってもよい。この場合、制御部１１は、用紙のサイズによって最適な画像形成位置（用紙面の中心部分）は異なるから、用紙サイズ、及び用紙位置に基づいて最適な位置に画像が転写されるよう、画像形成部１５の各部を制御する。
【図面の簡単な説明】
【００４２】
【図１】画像形成装置の構造を模式的に表した図である。
【図２】画像形成装置の構成を示すブロック図である。
【図３】図１に示す記録材搬送部を矢印Ｉ方向（上方）から見たときの構造を模式的に表した図である。
【図４】図１に示した矢印II方向（側面方向）に反転装置を見たときの構造を模式的に表した図である。
【図５】図１に示した矢印III方向（側面方向）に反転装置を見たときの構造を模式的に表した図である。
【図６】制御部が実行する動作の手順を示したフローチャートである。
【図７】用紙Ｐの表面に画像が転写される場合の記録材搬送部の動作の様子を模式的に表した図であり
【図８】用紙Ｐの裏面に画像が転写される場合の記録材搬送部の動作の様子を模式的に表した図であり
【図９】用紙Ｐの表裏面に形成される画像の描画領域の位置を説明する図である。
【符号の説明】
【００４３】
１０…画像形成装置、１１…制御部、１２…記憶部、１３…通信部、１４…ＵＩ部、１５…画像形成部、１５０…画像形成ユニット、１６…記録材搬送部、１７…送出部、１７１…搬送ローラ、１７２…固定式サイドガイド、１７３…可動式サイドガイド、１７４，１７４ａ，１７４ｂ…クロストロール群、１７５…レジロール、１８…センサ部、１８１…レジアウトセンサ、１８２…ＣＩＳ、１８３…透過型センサ、１９…反転装置、１９１…搬送ローラ、１９２…反転ローラ、１９３…光学センサ。
【図１】
0005233420.tif 000002
【図２】
0005233420.tif 000003
【図３】
0005233420.tif 000004
【図４】
0005233420.tif 000005
【図５】
0005233420.tif 000006
【図６】
0005233420.tif 000007
【図７】
0005233420.tif 000008
【図８】
0005233420.tif 000009
【図９】
0005233420.tif 000010